(57)【要約】【課題】収容体を歪ませることなく、収容体から薬剤を取り出すことができる薬剤取出装置を提供する。【解決手段】薬剤Ｍを収容する凹部Ｐ１１を有し、前記凹部Ｐ１１が開口部Ｐ１１１を有する、シート状の底部Ｐ１と、前記底部Ｐ１に貼り合わされ、前記開口部Ｐ１１１を閉塞する、シート状の蓋部Ｐ２と、を備えた収容体Ｐを対象とし、前記開口部Ｐ１１１の内周に沿って、前記蓋部Ｐ２に切り込みＰ２１を入れる切込部２と、前記切込部２が前記蓋部Ｐ２に切り込みＰ２１を入れることで前記開口部Ｐ１１１の内側に形成される切込片Ｐ２２を、前記開口部Ｐ１１１が開放されるように、前記開口部Ｐ１１１から離れる方向に移動させる開操作を行う開操作部３と、を備える薬剤取出装置１である。【選択図】図４
2020059514.tif 000002
【特許請求の範囲】
【請求項１】
薬剤を収容する収容体から前記薬剤を取り出す薬剤取出装置であって、
前記収容体は、
前記薬剤を収容する凹部を有し、前記凹部が開口部を有する、シート状の底部と、
前記底部に貼り合わされ、前記開口部を閉塞する、シート状の蓋部と、を備え、
前記薬剤取出装置は、
前記開口部の内周に沿って、前記蓋部に切り込みを入れる切込部と、
前記切込部が前記蓋部に切り込みを入れることで前記開口部の内側に形成される切込片を、前記開口部が開放されるように、前記開口部から離れる方向に移動させる開操作を行う開操作部と、を備える、薬剤取出装置。
【請求項２】
前記開操作部は、
前記切込片を保持する保持部を備え、
前記保持部によって前記切込片を保持した状態で、前記切込片を開操作する、請求項１に記載の薬剤取出装置。
【請求項３】
前記切込部は、前記開口部の内周に沿って、その内周の一部を残して、前記蓋部に切り込みを入れる、請求項２に記載の薬剤取出装置。
【請求項４】
前記開操作部は、前記切込部が前記蓋部に切り込みを入れるのに先だって、前記切込片となる部分を、前記保持部によって予め保持し、
前記切込部は、前記切込片となる部分が前記保持部によって保持された状態において、前記開口部の内周に沿って、その内周の全周にわたって、前記蓋部に切り込みを入れる、請求項２に記載の薬剤取出装置。
【請求項５】
前記保持部は、前記切込片を吸着によって保持する、請求項２から請求項４のいずれか１項に記載の薬剤取出装置。
【請求項６】
前記開口部を下方に向けた状態において、前記薬剤を、前記凹部から前記開口部を通して下方に落下させる、請求項１から請求項５のいずれか１項に記載の薬剤取出装置。
【請求項７】
前記開口部を下方に向けた状態において、前記切込部によって前記蓋部に切り込みを入れ、さらに前記開操作部によって前記切込片を開操作する、請求項６に記載の薬剤取出装置。
【請求項８】
前記薬剤を保持した状態で、前記薬剤を、前記凹部から前記開口部を通して取り出す取出部をさらに備え、
前記開口部を上方に向けた状態において、前記切込部によって前記蓋部に切り込みを入れ、前記開操作部によって前記切込片を開操作し、さらに前記取出部によって前記凹部から前記開口部を通して前記薬剤を取り出す、請求項１から請求項５のいずれか１項に記載の薬剤取出装置。
【請求項９】
前記切込片を収容する切込片収容部をさらに備え、
前記開操作部は、前記切込片を開操作した後に、前記切込片を前記切込片収容部に入れる、請求項１から請求項８のいずれか１項に記載の薬剤取出装置。
【請求項１０】
薬剤を収容する収容体から前記薬剤を取り出す薬剤取出装置であって、
前記収容体は、
前記薬剤を収容する凹部を有し、前記凹部が開口部を有する、シート状の底部と、
前記底部に貼り合わされ、前記開口部を閉塞する、シート状の蓋部と、を備え、
前記薬剤取出装置は、
前記開口部の内周に沿って、前記蓋部に切り込みを入れる切込部を備え、
前記切込部によって前記蓋部に切り込みを入れたうえで、前記凹部を押し潰すことなく、前記凹部から前記開口部を通して前記薬剤を取り出す、薬剤取出装置。
【発明の詳細な説明】
【技術分野】
【０００１】
本発明は、薬剤を収容する収容体から前記薬剤を取り出す薬剤取出装置に関するものである。
【背景技術】
【０００２】
従来の薬剤取出装置として、特許文献１または特許文献２に記載されたものがある。これらは、収容体であるＰＴＰシートにおいて、錠剤等の固形の薬剤を収納するポケット部（凹部）を押圧することで、そのポケット部から薬剤を取り出すよう構成されている。
【先行技術文献】
【特許文献】
【０００３】
【特許文献１】国際公開第２０１３／１７６１８６号
【特許文献２】特開２００５−２４７４０６号公報
【発明の概要】
【発明が解決しようとする課題】
【０００４】
ここで、前記従来の薬剤取出装置を用いた場合、薬剤師等が、薬剤を取り出した後のＰＴＰシートの取り扱いに困ることがある。それは、薬剤の取り出しに伴ってＰＴＰシートが反る等して歪んでしまうからである。
【０００５】
具体的に述べると、一部の薬剤を取り出した後のＰＴＰシートは、一旦、薬局における棚等に収納されることがある。このとき、ＰＴＰシートが歪んでいると、そのＰＴＰシートは、収納しにくい。
【０００６】
また、一部の薬剤を取り出した後のＰＴＰシートは、薬剤を取り出した部分を取り除いたうえで別の機会に患者に提供されることがある。このとき、ＰＴＰシートが歪んでいると、見た目が悪いため、薬剤師等においてそのＰＴＰシートを患者に提供することがためらわれる。
【０００７】
このように、薬剤の取り出しに伴ってＰＴＰシートが歪むと、種々の問題が発生する。
【０００８】
そこで本発明は前記問題に対応すべく、収容体を歪ませることなく、収容体から薬剤を取り出すことができる薬剤取出装置を提供することを課題とする。
【課題を解決するための手段】
【０００９】
本発明は、薬剤を収容する収容体から前記薬剤を取り出す薬剤取出装置であって、前記収容体は、前記薬剤を収容する凹部を有し、前記凹部が開口部を有する、シート状の底部と、前記底部に貼り合わされ、前記開口部を閉塞する、シート状の蓋部と、を備え、前記薬剤取出装置は、前記開口部の内周に沿って、前記蓋部に切り込みを入れる切込部と、前記切込部が前記蓋部に切り込みを入れることで前記開口部の内側に形成される切込片を、前記開口部が開放されるように、前記開口部から離れる方向に移動させる開操作を行う開操作部と、を備える、薬剤取出装置である。
【００１０】
これによると、切込片が開操作部によって開口部から離れる方向に移動させられる。このため、凹部を押し潰すことを要さずに開口部を開放し、開放された開口部を通して凹部から薬剤を取り出すことができる。そのため、薬剤の取り出しに伴う凹部の歪みを防止でき、また凹部を含む底部全体の歪みも防止できる。したがって、薬剤を取り出した後の収容体の取り扱いが容易になる。
【００１１】
また、前記開操作部は、前記切込片を保持する保持部を備え、前記保持部によって前記切込片を保持した状態で、前記切込片を開操作することができる。
【００１２】
これによると、切込部により形成された切込片が、凹部から取り出された薬剤についていくことを防止できる。
【００１３】
また、前記切込部は、前記開口部の内周に沿って、その内周の一部を残して、前記蓋部に切り込みを入れることができる。
【００１４】
これによると、蓋部に切り込みを入れたときに切込片がどこかに行ってしまう、ということを防止できる。
【００１５】
また、前記開操作部は、前記切込部が前記蓋部に切り込みを入れるのに先だって、前記切込片となる部分を、前記保持部によって予め保持し、前記切込部は、前記切込片となる部分が前記保持部によって保持された状態において、前記開口部の内周に沿って、その内周の全周にわたって、前記蓋部に切り込みを入れることができる。
【００１６】
これによると、蓋部に切り込みを入れたときに切込片がどこかに行ってしまう、ということを防止できる。
【００１７】
また、前記保持部は、前記切込片を吸着によって保持することができる。
【００１８】
これによると、切込片を確実に保持できる。
【００１９】
また、前記開口部を下方に向けた状態において、前記薬剤を、前記凹部から前記開口部を通して下方に落下させることができる。
【００２０】
これによると、薬剤を凹部から取り出すための構成を別途に設ける必要がない。したがって、構成が簡単になる。
【００２１】
また、前記開口部を下方に向けた状態において、前記切込部によって前記蓋部に切り込みを入れ、さらに前記開操作部によって前記切込片を開操作することができる。
【００２２】
これによると、薬剤を、効率よく、取り出すことができる。
【００２３】
また、前記薬剤を保持した状態で、前記薬剤を、前記凹部から前記開口部を通して取り出す取出部をさらに備え、前記開口部を上方に向けた状態において、前記切込部によって前記蓋部に切り込みを入れ、前記開操作部によって前記切込片を開操作し、さらに前記取出部によって前記凹部から前記開口部を通して前記薬剤を取り出すことができる。
【００２４】
これによると、薬剤を、より確実に取り出すことができる。
【００２５】
また、前記切込片を収容する切込片収容部をさらに備え、前記開操作部は、前記切込片を開操作した後に、前記切込片を前記切込片収容部に入れることができる。
【００２６】
これによると、切込片が散らかることを防止できる。
【００２７】
また、本発明は、薬剤を収容する収容体から前記薬剤を取り出す薬剤取出装置であって、前記収容体は、前記薬剤を収容する凹部を有し、前記凹部が開口部を有する、シート状の底部と、前記底部に貼り合わされ、前記開口部を閉塞する、シート状の蓋部と、を備え、前記薬剤取出装置は、前記開口部の内周に沿って、前記蓋部に切り込みを入れる切込部を備え、前記切込部によって前記蓋部に切り込みを入れたうえで、前記凹部を押し潰すことなく、前記凹部から前記開口部を通して前記薬剤を取り出す、薬剤取出装置である。
【００２８】
これによると、凹部を押し潰すことを要さずに開口部を通して凹部から薬剤を取り出すことができる。そのため、薬剤の取り出しに伴う凹部の歪みを防止でき、また凹部を含む底部全体の歪みも防止できる。したがって薬剤を取り出した後の収容体の取り扱いが容易になる。
【発明の効果】
【００２９】
本発明によると、収容体を歪ませることなく、収容体から薬剤を取り出すことができる。
【図面の簡単な説明】
【００３０】
【図１】本発明の一実施形態に係る薬剤取出装置が対象とする、薬剤が収容された状態の収容体（ＰＴＰシート）を示し、（ａ）は平面視の概略図、（ｂ）は一つの凹部と蓋部との組み合わせを示す、（ａ）のI-I矢視での要部拡大断面の概略図である。
【図２】前記薬剤取出装置における切込部及び開操作部と収容体（ＰＴＰシート）との関係を示す概略図である。
【図３】前記薬剤取出装置における切込部の形状の一例を示す斜視図である。
【図４】（ａ）は前記薬剤取出装置による収容体（ＰＴＰシート）における開口部の開放要領の一例を示す概略図であり、（ｂ）は蓋部に入れられた切り込みの形状例を示す、要部底面視の概略図である。
【図５】（ａ）は前記薬剤取出装置による収容体（ＰＴＰシート）における開口部の開放要領の他の一例を示す概略図であり、（ｂ）は蓋部に入れられた切り込みの形状例を示す、要部底面視の概略図である。
【発明を実施するための形態】
【００３１】
次に、本発明につき、一実施形態を取り上げて説明を行う。まず、収容体Ｐについて説明する。収容体Ｐは、一般に「ＰＴＰ」と呼ばれる包装体であって、底部Ｐ１と蓋部Ｐ２とを備える。底部Ｐ１は、図１（ａ）及び図１（ｂ）に示すように、薬剤Ｍを収容する複数の凹部Ｐ１１…Ｐ１１を有し、各凹部Ｐ１１が開口部Ｐ１１１を有する、シート状の部分である。収容体Ｐに収容される薬剤Ｍとしては、固形の薬剤、詳しくは、少なくとも凹部Ｐ１１への収納状態で一定の形態が保たれている薬剤であって、錠剤またはカプセル剤（カプセル剤は錠剤の概念に含まれることもある）が例示できる。図示のように、例えば一つの凹部Ｐ１１に一つの薬剤Ｍが収容される。ただし、これに限定されず、一つの凹部Ｐ１１に複数の薬剤Ｍが収容されることもある。
【００３２】
底部Ｐ１において、各凹部Ｐ１１の周囲は平板状である平板部Ｐ１２とされている。この平板部Ｐ１２には必要により、ミシン目等の切断補助手段Ｐ１３が形成されている。開口部Ｐ１１１は平板部Ｐ１２において開口している。底部Ｐ１には、例えば熱可塑性プラスチック製のシートが用いられ、真空成型等により複数の凹部Ｐ１１…Ｐ１１が形成されている。凹部Ｐ１１は、収容される薬剤Ｍの形状に対応した形状で形成される。
【００３３】
蓋部Ｐ２は、底部Ｐ１に貼り合わされて凹部Ｐ１１の開口部Ｐ１１１を閉塞する、シート状の部分である。蓋部Ｐ２には、例えばアルミ製やプラスチック製のシートが用いられる。１枚の底部Ｐ１には１枚の蓋部Ｐ２が接着剤を用いたり溶着されたりして貼り合わされている。つまり、複数の凹部Ｐ１１…Ｐ１１における開口部Ｐ１１１は１枚の蓋部Ｐ２によってまとめて閉塞されている。蓋部Ｐ２は、患者等の指先や爪で容易に破れる程度の強度とされていて、蓋部Ｐ２を破ったり切り取ったりすることにより、凹部Ｐ１１に収容された薬剤Ｍを収容体Ｐの外部に取り出すことができる。
【００３４】
本実施形態の薬剤取出装置１は、前記収容体Ｐを取扱いの対象としており、主に切込部２、開操作部３、切込片収容部４を備える。
【００３５】
切込部２は、収容体Ｐにおける開口部Ｐ１１１の内周に沿って、蓋部Ｐ２に切り込み（切り込み線）Ｐ２１を入れる部分である。切込部２は、図２に示すように収容体Ｐに対し、蓋部Ｐ２に対向するように配置される。このとき、収容体Ｐはチャック機構等の図示しない位置保持手段によって、切込部２の動作に支障しない程度に不動に位置保持されている。切込部２は、例えば、図３に示すように円筒状であって、軸方向の一端側が軸方向に対して斜め方向に傾斜した刃部２１が形成されている。このように構成された切込部２を蓋部Ｐ２に貫通させることにより、刃部２１によって蓋部Ｐ２に切り込みＰ２１を入れることができる。切込部２が蓋部Ｐ２に切り込みＰ２１を入れることで、図４（ａ）または図５（ａ）に示すように、開口部Ｐ１１１の底面視における径方向内側に切込片Ｐ２２が形成される。切り込みＰ２１は、図４（ｂ）に示すように周方向の全周に入れることもできるが、図５（ｂ）に示すように、周方向の一部について入れないこともできる。後者のように、切込部２が、開口部Ｐ１１１の内周に沿って、その内周の一部である非切込部Ｐ２３を残して、前記蓋部Ｐ２に切り込みＰ２１を入れることにより、蓋部Ｐ２に切り込みＰ２１を入れたときに、蓋部Ｐ２における他の部分から分離した切込片Ｐ２２がどこかに行ってしまうことを防止でき、これによって切込片Ｐ２２が薬剤Ｍに混入する等の不都合を防止できる。
【００３６】
開操作部３は、切込部２により蓋部Ｐ２に形成された切込片Ｐ２２を、収容体Ｐにおける開口部Ｐ１１１が薬剤Ｍの通過の支障にならないよう開放されるように、開口部Ｐ１１１から離れる方向に移動させる開操作を行う部分である。ここで、開口部Ｐ１１１から離れる方向は、凹部Ｐ１１の内方に向かう方向とは反対の方向（図２における下方）である。このように、本実施形態で行われる開操作は、開操作部３が直接的に（凹部Ｐ１１を押し潰すことが前提となるような間接的なものではなく）切込片Ｐ２２を移動させる操作である。患者等が手で凹部Ｐ１１を押し潰して薬剤Ｍを取り出す場合は、凹部Ｐ１１を変形させてしまう。これに対して、本実施形態で行われる開操作では、凹部Ｐ１１を変形させることがない。開操作部３は、例えば、空気吸引により切込片Ｐ２２を吸着して保持できる吸着パッドを用いることができる。開操作部３は、例えば、図２に示すように筒状である切込部２の内部に配置することができる。開操作部３は、図２に示す状態から切込部２の内部から脱出した状態となり、更に図４（ａ）または図５（ａ）に示すような収容体Ｐに対して傾斜した状態とできるように、図示しない移動機構に接続されている。また開操作部３は、空気吸引を行うための真空ポンプ等に配管等を介して接続されている。
【００３７】
図２に示すように、収容体Ｐにおける開口部Ｐ１１１を下方に向けた状態において、蓋部Ｐ２に切り込みＰ２１が入ることで、図４（ａ）または図５（ａ）に矢印を示したように、薬剤Ｍを、凹部Ｐ１１から開口部Ｐ１１１を通して下方に落下させることができる。こうすることにより、薬剤Ｍを摘む等して凹部Ｐ１１から取り出すための構成を別途に設ける必要がない。したがって、薬剤取出装置１の構成が簡単になる。より詳しくは、収容体Ｐにおける開口部Ｐ１１１を下方に向けた状態において、切込部２によって蓋部Ｐ２に切り込みＰ２１を入れ、さらに（開口部Ｐ１１１を下方に向けた状態を維持したままで）開操作部３によって前記切込片Ｐ２２を開操作することができる。こうすることにより、薬剤Ｍを、効率よく取り出すことができる。
【００３８】
開操作部３は更に、切込片Ｐ２２を保持する保持部３１を備える。開操作部３は、保持部３１によって切込片Ｐ２２を保持した状態で、切込片Ｐ２２を開操作する。本実施形態の吸着パッドは、この保持部３１も兼ねている。このように開操作部３が保持部３１を備えたことにより、切込片Ｐ２２が、凹部Ｐ１１から取り出された薬剤Ｍについていくことを防止でき、これによって患者等による切込片Ｐ２２の誤飲を招くことを防止できる。また、保持部３１が切込片Ｐ２２を吸着によって保持するよう構成することで、切込片Ｐ２２を確実に保持できる。
【００３９】
開操作部３は、切込部２が蓋部Ｐ２に切り込みＰ２１を入れるのに先だって、蓋部Ｐ２において後に切込片Ｐ２２となる部分を、保持部３１によって予め保持し、切込部２は、前記保持された状態において、開口部Ｐ１１１の内周に沿って、その内周の全周にわたって、前記蓋部Ｐ２に切り込みＰ２１を入れることができる。このようにすることで、図４（ａ）（ｂ）に示すように、蓋部Ｐ２に全周にわたって切り込みＰ２１を入れたときに、蓋部Ｐ２における他の部分から分離した切込片Ｐ２２がどこかに行ってしまうことを防止でき、これによって切込片Ｐ２２が薬剤Ｍに混入する等の不都合を防止できる。
【００４０】
切込片収容部４は、切込片Ｐ２２を収容する部分であり、例えば、図４（ａ）に示す容器状のものとして実施できる。開操作部３は、切込片Ｐ２２を開操作した後に、切込片Ｐ２２を切込片収容部４に入れることで、切込片Ｐ２２が散らかってしまうことを防止でき、これによって切込片Ｐ２２が薬剤Ｍに混入してしまうことを防止できる。切込片Ｐ２２は、図４（ａ）（ｂ）に示す全周切り込みの場合にはそのまま切込片収容部４に収容される。そして、図５（ａ）（ｂ）に示す全周切り込みでない場合には、非切込部Ｐ２３を切断することで、蓋部Ｐ２の他の部分から切込片Ｐ２２を分離した上で切込片収容部４に収容される。
【００４１】
以上のように構成された本実施形態の薬剤取出装置１では、切込片Ｐ２２が開操作部３によって開口部Ｐ１１１から離れる方向に移動させられる。このため、例えば手作業で薬剤Ｍを取り出す時のように凹部Ｐ１１を押し潰すことを要さずに開口部Ｐ１１１を開放し、開放された開口部Ｐ１１１を通して凹部Ｐ１１から薬剤Ｍを取り出すことができる。そのため、薬剤Ｍの取り出しに伴う凹部Ｐ１１の歪みを防止でき、また凹部Ｐ１１を含む底部Ｐ１全体の歪みも防止できる。したがって、歪んだ収容体Ｐを取り扱わなくできるので、薬剤Ｍを取り出した後の収容体Ｐの取り扱いが容易になる点で有利である。
【００４２】
以上、本発明の一実施形態について説明したが、本発明は前記実施形態に限定されるものではなく、本発明の要旨を逸脱しない範囲内において種々の変更を加えることができる。
【００４３】
例えば、薬剤取出装置は単独で設けてもよいし、例えば、分包装置等の他の装置に組み込むこともできる。
【００４４】
また、切込部２の形状は前記実施形態のような筒状に限定されず、例えば、蓋部Ｐ２に対向する位置に刃部を備えた平板状（ナイフ状）とされていてもよい。この場合、切込部２に駆動手段が接続され、当該駆動手段により切込部２を、収容体Ｐにおける開口部Ｐ１１１の内周に沿って移動させることにより、蓋部Ｐ２に切り込みＰ２１を入れることができる。この場合、凹部Ｐ１１の外面に沿って周方向に移動する倣い機構を設けておき、この倣い機構と切込部２とを連動させることで、切込部２を開口部Ｐ１１１の内周に沿って移動させることもできる。また、凹部Ｐ１１の形状を制御部に予め記憶させ、制御部の制御で切込部２を凹部Ｐ１１の形状に対応した軌跡で移動させることもできる。また、切込部２の形状を筒状とする場合であっても、図３に示す円筒状に限定されず、種々の形状とすることができる。
【００４５】
また、開操作部３は、前記実施形態では、空気吸引により切込片Ｐ２２を吸着して保持できる吸着パッドを用いていた。ただしこれに限定されず、把持、針等による引っ掛け、粘着、静電気等の種々の手段により切込片Ｐ２２を保持することもできる。また、空気吸引とは逆に、空気吐出により切込片Ｐ２２を移動させるように構成することもできる。
【００４６】
また、薬剤取出装置は、薬剤Ｍを保持した状態で、薬剤Ｍを凹部Ｐ１１から開口部Ｐ１１１を通して取り出す取出部をさらに備えていてもよい（図示しない）。この取出部は、薬剤Ｍを、吸着によって保持してもよく、あるいは、把持によって保持してもよい。このような取出部を備えている薬剤取出装置では、開口部Ｐ１１１を上方に向けた状態において、切込部２によって蓋部Ｐ２に切り込みＰ２１を入れ、開操作部３によって切込片Ｐ２２を開操作し、さらに取出部によって凹部Ｐ１１から開口部Ｐ１１１を通して薬剤Ｍを取り出すようにすればよい。このような構成にすることで、薬剤Ｍを、より確実に取り出すことができる。
【００４７】
また、薬剤取出装置は、切込部２によって蓋部Ｐ２に切り込みＰ２１を入れたうえで、凹部Ｐ１１を押し潰すことなく、凹部Ｐ１１から開口部Ｐ１１１を通して、薬剤Ｍを取り出すものであればよい。開操作部３による開操作に代えて、薬剤Ｍによって切込片Ｐ２２を押すことで、切込片Ｐ２２を移動させてもよい。この場合、薬剤Ｍの自重による落下を利用してもよい。あるいは、収容体Ｐを振動させたり、収容体Ｐに衝撃を与えたりすることで、薬剤Ｍを動かし、この薬剤Ｍの動きを利用してもよい。
【符号の説明】
【００４８】
１        薬剤取出装置
２        切込部
３        開操作部
３１      保持部
４        切込片収容部
Ｐ        収容体
Ｐ１      底部
Ｐ１１    凹部
Ｐ１１１  開口部
Ｐ２      蓋部
Ｐ２１    切り込み
Ｐ２２    切込片
Ｍ        薬剤
【図１】
2020059514.tif 000003
【図２】
2020059514.tif 000004
【図３】
2020059514.tif 000005
【図４】
2020059514.tif 000006
【図５】
2020059514.tif 000007